(57)【特許請求の範囲】
【請求項１】
梁材と柱材とによって骨組みが形成された複数の建物ユニットを連結させたユニット建物であって、
複数の建物ユニットが連結された第１ユニット群と、
前記第１ユニット群と間隔を置いて設けられた複数の建物ユニットが連結された第２ユニット群と、
前記第１ユニット群と前記第２ユニット群との間に設置された階段部を有する階段ユニットとを備え、
前記階段部は廻り階段であるとともに、
前記階段ユニットには、上階に通じる上階床が設けられていて、前記上階床の梁材は、前記階段ユニットの２本の柱材と前記第１ユニット群及び第２ユニット群との側面間における連結とによって支持されていることを特徴とするユニット建物。
【請求項２】
梁材と柱材とによって骨組みが形成された複数の建物ユニットを連結させたユニット建物であって、
複数の建物ユニットが連結された第１ユニット群と、
前記第１ユニット群と間隔を置いて設けられた複数の建物ユニットが連結された第２ユニット群と、
前記第１ユニット群と前記第２ユニット群との間に設置された階段部を有する階段ユニットとを備え、
前記階段部は廻り階段であるとともに、
前記階段部は、途中に踊り場を有していて、前記踊り場の梁材は、前記階段ユニットの２本の柱材の中央部と前記第１ユニット群及び第２ユニット群との側面間における連結とによって支持されていることを特徴とするユニット建物。
【請求項３】
前記第１ユニット群と前記第２ユニット群との間には屋根部が架け渡されているとともに、前記屋根部の下方に前記階段ユニットが設置されていることを特徴とする請求項１又は２に記載のユニット建物。
【請求項４】
前記第１ユニット群及び第２ユニット群と前記階段ユニットとの前記側面間における連結は、前記第１ユニット群と前記第２ユニット群との間隔方向の変位が許容される金具を介して行われていることを特徴とする請求項１乃至３のいずれか一項に記載のユニット建物。
【請求項５】
前記階段ユニットは、前記第１ユニット群と前記第２ユニット群との間隔方向と略直交する方向の端部に開口部を有することを特徴とする請求項１乃至４のいずれか一項に記載のユニット建物。
【発明の詳細な説明】
【技術分野】
【０００１】
本発明は、梁材と柱材とによって骨組みが形成された複数の建物ユニットを連結させたユニット建物に関するものである。
【背景技術】
【０００２】
特許文献１，２に開示されているように離し置きされた建物ユニット群間に、廻り階段や直線階段が設けられたユニット建物が知られている。これらのユニット建物においては、２つの建物ユニット群が間隔を置いて平行に設置された後に、廻り階段や直線階段の構築が現場で行われる。
【０００３】
一方、特許文献３，４に開示されているように、廻り階段や直線階段が組み込まれた建物ユニットが知られている。この階段が組み込まれた建物ユニットは、建物の内部に組み込まれたり、建物の側部に取り付けられたりして一体の構造となる。
【先行技術文献】
【特許文献】
【０００４】
【特許文献１】特開平８−１３６１２号公報
【特許文献２】特開２０１４−５５４３０号公報
【特許文献３】特開２００７−１４６４９９号公報
【特許文献４】特許第４５９５８８０号公報
【発明の概要】
【発明が解決しようとする課題】
【０００５】
しかしながら、建物ユニット化された廻り階段を建物ユニット群間に設置することで構築されるユニット建物は、存在していなかった。
【０００６】
そこで、本発明は、廻り階段を建物ユニット群間に簡単かつ迅速に配置することが可能となるユニット建物を提供することを目的としている。
【課題を解決するための手段】
【０００７】
前記目的を達成するために、本発明のユニット建物は、梁材と柱材とによって骨組みが形成された複数の建物ユニットを連結させたユニット建物であって、複数の建物ユニットが連結された第１ユニット群と、前記第１ユニット群と間隔を置いて設けられた複数の建物ユニットが連結された第２ユニット群と、前記第１ユニット群と前記第２ユニット群との間に設置された階段部を有する階段ユニットとを備え、前記階段部は廻り階段であることを特徴とする。
【０００８】
また、前記第１ユニット群と前記第２ユニット群との間には屋根部が架け渡されているとともに、前記屋根部の下方に前記階段ユニットが設置されている構成とすることができる。
【０００９】
さらに、前記第１ユニット群及び第２ユニット群と前記階段ユニットとは、前記第１ユニット群と前記第２ユニット群との間隔方向の変位が許容される金具を介して連結されている構成とすることができる。
【００１０】
また、前記階段ユニットには、上階に通じる上階床が設けられている構成とすることができる。さらに、前記階段部は、途中に踊り場を有する構成とすることができる。そして、前記踊り場は、前記第１ユニット群及び第２ユニット群に連結されている構成とすることができる。
【００１１】
また、前記階段ユニットは、前記第１ユニット群と前記第２ユニット群との間隔方向と略直交する方向の端部に開口部を有する構成とすることができる。
【発明の効果】
【００１２】
このように構成された本発明のユニット建物は、複数の建物ユニットが連結された第１ユニット群と第２ユニット群との間に、廻り階段を有する階段ユニットが設置された構成となる。
【００１３】
このため、廻り階段を建物ユニットのユニット群間に簡単かつ迅速に配置することができる。また、第１ユニット群と第２ユニット群との間に屋根部が架け渡されることで、廻り階段を備えた吹き抜け空間を形成することができる。
【００１４】
さらに、第１ユニット群及び第２ユニット群と階段ユニットとが、第１ユニット群と第２ユニット群との間隔方向の変位が許容される金具を介して連結されていれば、階段ユニットに大きな水平荷重が作用せず、階段ユニットを簡単な構造にすることができる。
【００１５】
さらに、階段ユニットに上階に通じる上階床や踊り場を設けておくことで、階段ユニットを設置しただけで、第１ユニット群と第２ユニット群との間を接続させることができる。
【００１６】
特に、踊り場を、第１ユニット群及び第２ユニット群に連結させる構造とすることで、階段ユニットの負担が軽減されて、さらに簡素な構成とすることができる。
【００１７】
そして、第１ユニット群と第２ユニット群との間隔方向と略直交する方向の階段ユニットの端部に開口部を設けることで、ユニット建物のエントランスを形成することができる。
【図面の簡単な説明】
【００１８】
【図１】本実施の形態のユニット建物の１階部分の概略構成を示した説明図である。
【図２】第１及び第２ユニット群を構成する建物ユニットを説明する斜視図である。
【図３】階段ユニットの構成を説明する斜視図である。
【図４】階段ユニットと建物ユニットとの梁の側面間を連結させる金具を説明する斜視図である。
【図５】階段ユニットの踊り場と建物ユニットのスタッドとを連結させる金具を説明する斜視図である。
【図６】ユニット建物全体の概略構成を模式的に示した説明図である。
【発明を実施するための形態】
【００１９】
以下、本発明の実施の形態について図面を参照して説明する。図１は、本実施の形態のユニット建物１０に配置される階段ユニット１を説明するために、１階部分の概略構成を示した斜視図である。
【００２０】
まず、ユニット建物１０の構成から説明すると、このようなユニット建物１０は、工場で製作される複数の建物ユニット２，・・・及び階段ユニット１を建築現場に搬送し、基礎（図示省略）の上に横方向に並べて１階部を構築するとともに、それらの（下階）建物ユニット２，・・・の上に別の（上階）建物ユニット２，・・・を積み上げることで上層階を構築していく（図６参照）。
【００２１】
一方、ユニット建物１０を構成する階段ユニット１及び建物ユニット２は、梁材と柱材とによって骨組みが形成される。まず、第１ユニット群２０Ａ及び第２ユニット群２０Ｂを構成する建物ユニット２について、図２を参照しながら説明する。
【００２２】
建物ユニット２は、四隅に配置される柱材としての柱２１，・・・と、その柱２１，・・・の下端間に差し渡される梁材としての床梁２２，２２Ａ，・・・と、柱２１，・・・の上端間に架け渡される梁材としての天井梁２３，２３Ａ，・・・とによってボックス形の骨組構造体に形成される。
【００２３】
ここで、柱２１は角形鋼管、床梁２２，２２Ａ及び天井梁２３，２３Ａは断面視略コ字形の溝形鋼材によって形成されている。また、柱２１と床梁２２（２２Ａ）及び天井梁２３（２３Ａ）は、接合枠材１４（１４Ａ）を介して溶接接合される。要するに建物ユニット２は、すべての隅角部が溶接接合されたラーメン構造体となっている。
【００２４】
そして、図１，１０に示すように、複数の建物ユニット２，・・・が左右及び上下に連結されることによって第１ユニット群２０Ａが形成される。また、第１ユニット群２０Ａと間隔を置いて、複数の建物ユニット２，・・・が左右及び上下に連結されることによって第２ユニット群２０Ｂが形成される。
【００２５】
本実施の形態のユニット建物１０では、平面視略長方形となる第１ユニット群２０Ａと第２ユニット群２０Ｂとは、略平行となるように間隔を置いて設けられる。そして、この第１ユニット群２０Ａと第２ユニット群２０Ｂとの間の平面視略長方形の空間に、図３に示すような階段ユニット１が設置される。
【００２６】
この階段ユニット１は、四隅に配置される柱材としての柱１１，・・・と、その柱１１，・・・の下端間に差し渡される梁材としての床梁１２，１２Ａ，・・・と、柱１１，・・・の上端間に架け渡される梁材としての上床梁１３，１３Ａ，・・・とによって骨組構造体が形成される。
【００２７】
ここで、柱１１は角形鋼管、床梁１２，１２Ａ及び上床梁１３，１３Ａは断面視略コ字形の溝形鋼材によって形成されている。また、柱１１と床梁１２（１２Ａ）及び上床梁１３（１３Ａ）は、接合枠材１４（１４Ａ）を介して溶接接合される。
【００２８】
階段ユニット１は、搬送時は、上床梁１３と柱１１の上端とが仮梁（図示省略）によって接続されたボックス形の骨組構造体となっている。この仮梁は、階段ユニット１を所定の位置に設置した後に撤去される。
【００２９】
また、階段ユニット１には、下階段部１９Ａ、踊り場１９１、上階段部１９Ｂ及び上階床１９２が設けられる。なお、地上階となる床梁１２，１２，１２Ａ，１２Ａ間は、床板１７によって塞がれる。
【００３０】
すなわち階段ユニット１に設けられる階段部は、床板１７から踊り場１９１までの一方向に延びる下階段部１９Ａと、階段ユニット１の高さ方向の略中央に設けられる踊り場１９１と、踊り場１９１から上階床１９２までの下階段部１９Ａとは反対方向に延びる上階段部１９Ｂとによって主に構成される廻り階段である。
【００３１】
ここで、上階床１９２は、上床梁１３，１３，１３Ａによって支持され、踊り場１９１は中間梁１９１ａ，・・・によって支持される。この中間梁１９１ａは、端部が柱１１の高さ方向の中央部に接続される。
【００３２】
そして、階段ユニット１は、図１に示すように、隣接する第１ユニット群２０Ａと第２ユニット群２０Ｂとに連結されることによって、安定した状態になる。図１では、この連結に使用される金具（３Ａ，３Ｂ）を、記号によって示している。以下、これらの金具の詳細について説明する。
【００３３】
図４は、階段ユニット１と建物ユニット２との梁（２３Ａ，１３）の側面間を連結させる鉛直力負担金具３Ａについて説明する斜視図である。この鉛直力負担金具３Ａを使って、建物ユニット２の天井梁２３Ａの側面と階段ユニット１の上床梁１３の側面とを連結させる。
【００３４】
鉛直力負担金具３Ａは、平面視略Ｚ字形の張出し部３１と、張出し部３１を天井梁２３Ａの側面に接合させるための固定ボルト３２１，３２１とによって主に構成される。
【００３５】
張出し部３１の第１片３１ａが天井梁２３Ａの側面に接合された鉛直力負担金具３Ａは、階段ユニット１側に張り出された第２片３１ｂを上床梁１３の側面に接触させる。
【００３６】
そして、階段ユニット１の内部側からバネ座金３３１及び平座金３３２が装着されたボルト３３を上床梁１３の穴に通し、鉛直力負担金具３Ａと上床梁１３とを接合させる。なお、図示していないが、張出し部３１の第２片３１ｂの天井梁２３Ａに対峙する側面には、ボルト３３をねじ込むためのナットが固着されている。
【００３７】
このようにして連結された天井梁２３Ａと上床梁１３との間では、鉛直方向の荷重はそのまま伝達されるが、天井梁２３Ａと上床梁１３との間が離隔又は近接する方向の水平荷重は低減されて伝達される。
【００３８】
要するに、第１ユニット群２０Ａと第２ユニット群２０Ｂとの間隔方向の変位が許容された連結となる。なお、天井梁２３Ａ及び上床梁１３の長手方向の荷重も低減されて伝達される。
【００３９】
また、図５は、階段ユニット１の踊り場１９１と建物ユニット２のスタッド２５とを連結させる鉛直力負担金具３Ｂについて説明する斜視図である。この鉛直力負担金具３Ｂを使って、建物ユニット２の床梁２２Ａと天井梁２３Ａとを繋ぐスタッド２５の側面と階段ユニット１の中間梁１９１ａの側面とを連結させる。
【００４０】
鉛直力負担金具３Ｂの詳細については、上述した鉛直力負担金具３Ａと同じであるため詳細な説明は省略する。鉛直力負担金具３Ｂによって連結されたスタッド２５と中間梁１９１ａとの間では、鉛直方向の荷重はそのまま伝達されるが、スタッド２５と中間梁１９１ａとの間が離隔又は近接する水平方向の荷重は低減されて伝達される。
【００４１】
要するに、第１ユニット群２０Ａと第２ユニット群２０Ｂとの間隔方向の変位が許容された連結となる。なお、中間梁１９１ａの長手方向の荷重も低減されて伝達される。
【００４２】
このようにして第１ユニット群２０Ａ及び第２ユニット群２０Ｂの１階と連結された階段ユニット１の上方には、図６に示すように屋根部としての張出し屋根６が架け渡される。
【００４３】
すなわち平面視略長方形の張出し屋根６は、第１ユニット群２０Ａの２階上縁と第２ユニット群２０Ｂの２階上縁との間に架け渡される。そして、第１ユニット群２０Ａと第２ユニット群２０Ｂとの間の直方体状の空間は、張出し屋根６に覆われた吹き抜け空間となる。
【００４４】
また、この吹き抜け空間に設置される階段ユニット１には、第１ユニット群２０Ａと第２ユニット群２０Ｂとの間隔方向と略直交する方向（第１ユニット群２０Ａと第２ユニット群２０Ｂとの間の吹き抜け空間の長手方向）の一方の端部に、エントランス壁１６が設けられる。
【００４５】
そして、このエントランス壁１６には開口部１５が設けられ、開口部１５はドア部１５１によって開閉可能に塞がれる。本実施の形態の構成では、開口部１５は下階段部１９Ａの昇降口と対面した位置に設けられる。
【００４６】
また、階段ユニット１は、エントランス壁１６と対向する反対側の端部も壁で塞ぐことができる。さらに、階段ユニット１は、第１ユニット群２０Ａとの間の側部、及び第２ユニット群２０Ｂとの間の側部も壁で塞ぐことができる。
【００４７】
次に、本実施の形態のユニット建物１０の作用について説明する。
【００４８】
このように構成された本実施の形態のユニット建物１０は、複数の建物ユニット２，・・・が連結された第１ユニット群２０Ａと第２ユニット群２０Ｂとの間に、廻り階段を有する階段ユニット１が設置された構成となる。
【００４９】
このため、廻り階段を第１ユニット群２０Ａと第２ユニット群２０Ｂとの間に簡単かつ迅速に配置することができる。また、第１ユニット群２０Ａと第２ユニット群２０Ｂと間に張出し屋根６が架け渡されることで、廻り階段を備えた吹き抜け空間を形成することができる。
【００５０】
また、第１ユニット群２０Ａ及び第２ユニット群２０Ｂと階段ユニット１とが、第１ユニット群２０Ａと第２ユニット群２０Ｂとの間隔方向の変位が許容される鉛直力負担金具３Ａ，３Ｂを介して連結されていれば、階段ユニット１に大きな水平荷重が作用せず、階段ユニット１を簡単な構造にすることができる。
【００５１】
すなわち第１ユニット群２０Ａ又は第２ユニット群２０Ｂから水平方向の荷重がそのまま伝達される金具を介して連結する場合は、その荷重に耐え得るように剛性の高いユニットにする必要がある。これに対して、大きな水平方向の荷重が作用しない連結構造であれば、階段ユニット１の剛性を建物ユニット２よりも小さくすることができ、簡素な構造を採用することができる。
【００５２】
また、階段ユニット１に作用する鉛直荷重は、鉛直力負担金具３Ａ，３Ｂを介して第１ユニット群２０Ａ及び第２ユニット群２０Ｂに負担させることができるので、この点においても階段ユニット１を簡素な構造にすることができる。
【００５３】
さらに、階段ユニット１に上階に通じる上階床１９２や踊り場１９１を設けておくことで、階段ユニット１を設置しただけで、第１ユニット群２０Ａと第２ユニット群２０Ｂとの間を接続させることができる。
【００５４】
特に、踊り場１９１を支持させる中間梁１９１ａを、第１ユニット群２０Ａ及び第２ユニット群２０Ｂに鉛直力負担金具３Ｂを介して連結させる構造とすることで、階段ユニット１の負担が軽減されて、さらに簡素な構成とすることができる。
【００５５】
要するに踊り場１９１に作用する鉛直荷重を、鉛直力負担金具３Ｂを介して隣接して設置される第１ユニット群２０Ａ及び第２ユニット群２０Ｂに負担させることができれば、階段ユニット１自体の剛性を過大にする必要がなく経済的である。
【００５６】
そして、第１ユニット群２０Ａと第２ユニット群２０Ｂとの間隔方向と略直交する方向の階段ユニット１の端部にエントランス壁１６を設け、さらにそこに開口部１５を設けることで、ユニット建物１０のエントランスを形成することができる。
【００５７】
以上、図面を参照して、本発明の実施の形態を詳述してきたが、具体的な構成は、この実施の形態に限らず、本発明の要旨を逸脱しない程度の設計的変更は、本発明に含まれる。
【００５８】
例えば、前記実施の形態では、それぞれ水平方向に３列に建物ユニット２，２，２を並べたユニット群（２０Ａ，２０Ｂ）を例に説明したが、これに限定されるものではなく、第１及び第２ユニット群の構成は任意に設定することができる。
【００５９】
また、前記実施の形態では、平面視長方形の床状の踊り場１９１がある廻り階段を例に説明したが、これに限定されるものではなく、任意の形態の廻り階段を階段ユニットに組み込むことができる。
【符号の説明】
【００６０】
１              階段ユニット
１０            ユニット建物
１１            柱（柱材）
１２，１２Ａ    床梁（梁材）
１３，１３Ａ    天井梁（梁材）
１５            開口部
１６            エントランス壁（端部）
１９Ａ          下階段部
１９Ｂ          上階段部
１９１          踊り場
１９１ａ        中間梁
１９２          上階床
２              建物ユニット
２０Ａ          第１ユニット群
２０Ｂ          第２ユニット群
２１            柱（柱材）
２２，２２Ａ    床梁（梁材）
２３，２３Ａ    天井梁（梁材）
３Ａ，３Ｂ      鉛直力負担金具
６              張出し屋根（屋根部）
【図１】
0006696775.tif 000002
【図２】
0006696775.tif 000003
【図３】
0006696775.tif 000004
【図４】
0006696775.tif 000005
【図５】
0006696775.tif 000006
【図６】
0006696775.tif 000007